(57)【要約】【課題】 お気に入りチャンネルテーブルに登録されているチャンネルにおける番組の放送停止時に、ユーザを混乱させることがなく、ユーザの使い勝手を向上させた受信装置を提供する。 【解決手段】  受信装置１は、お気に入りチャンネルテーブル９ｂを利用したチャンネルの切換では、ｓ２４で、対応付けられている放送停止フラグがオンしているチャンネル、すなわち番組の放送が行われていないチャンネルが選局されるのを禁止する。したがって、ユーザにより、番組が放送されていないチャンネルが選曲されることがない。【選択図】  図１
2006352777.tif 000002
【特許請求の範囲】
【請求項１】
登録が指定されたチャンネルをチャンネルテーブルに登録する登録手段と、
前記チャンネルテーブルに登録されているチャンネルについてのみ、選局を受け付ける選局受付手段と、
前記選局受付手段が受け付けたチャンネルのディジタル放送信号を受信する受信手段と、を備えた受信装置において、
チャンネル毎に番組の放送が行われているかどうかを検知する検知手段と、
前記チャンネルテーブルに登録されているチャンネルで、番組の放送が行われていないことが前記検知手段により検知されたとき、前記チャンネルテーブルに登録されている該当するチャンネルに対応付けられている放送停止を示すフラグをオンする放送停止設定手段と、
前記選局受付手段が、前記チャンネルテーブルに登録されており、且つ対応づけられている放送停止を示すフラグがオンされているチャンネルの選局を受け付けるのを禁止する選局受付禁止手段と、
前記チャンネルテーブルに登録されており、且つ対応づけられている放送停止を示すフラグがオンされているチャンネルで、番組の放送が行われていることが前記検知手段により検知されたとき、前記チャンネルテーブルに登録されている該当するチャンネルに対応付けられている放送停止を示すフラグをオフする放送停止解除手段と、を備え、
前記検知手段は、予め定められたタイミングで、前記チャンネルテーブルに登録されているチャンネル毎に、番組の放送が行われているかどうかを検知する手段である受信装置。
【請求項２】
登録が指定されたチャンネルをチャンネルテーブルに登録する登録手段と、
前記チャンネルテーブルに登録されているチャンネルについてのみ、選局を受け付ける選局受付手段と、
前記選局受付手段が受け付けたチャンネルのディジタル放送信号を受信する受信手段と、を備えた受信装置において、
チャンネル毎に番組の放送が行われているかどうかを検知する検知手段と、
前記チャンネルテーブルに登録されているチャンネルで、番組の放送が行われていないことが前記検知手段により検知されたとき、前記チャンネルテーブルに登録されている該当するチャンネルに対応付けられている放送停止を示すフラグをオンする放送停止設定手段と、
前記選局受付手段が、前記チャンネルテーブルに登録されており、且つ対応づけられている放送停止を示すフラグがオンされているチャンネルの選局を受け付けたとき、現在番組が放送されていないことを通知するＯＳＤ画像を出力するＯＳＤ画像出力手段と、
前記チャンネルテーブルに登録されており、且つ対応づけられている放送停止を示すフラグがオンされているチャンネルで、番組の放送が行われていることが前記検知手段により検知されたとき、前記チャンネルテーブルに登録されている該当するチャンネルに対応付けられている放送停止を示すフラグをオフする放送停止解除手段と、を備え、
前記検知手段は、予め定められたタイミングで、前記チャンネルテーブルに登録されているチャンネル毎に、番組の放送が行われているかどうかを検知する手段である受信装置。
【請求項３】
登録が指定されたチャンネルをチャンネルテーブルに登録する登録手段と、
前記チャンネルテーブルに登録されているチャンネルについてのみ、選局を受け付ける選局受付手段と、
前記選局受付手段が受け付けたチャンネルのディジタル放送信号を受信する受信手段と、を備えた受信装置において、
チャンネル毎に番組の放送が行われているかどうかを検知する検知手段と、
前記チャンネルテーブルに登録されているチャンネルで、番組の放送が行われていないことが前記検知手段により検知されたとき、前記チャンネルテーブルに登録されている該当するチャンネルに対応付けられている放送停止を示すフラグをオンする放送停止設定手段と、
前記選局受付手段が、前記チャンネルテーブルに登録されており、且つ対応づけられている放送停止を示すフラグがオンされているチャンネルの選局を受け付けるのを禁止する選局受付禁止手段と、を備えた受信装置。
【請求項４】
登録が指定されたチャンネルをチャンネルテーブルに登録する登録手段と、
前記チャンネルテーブルに登録されているチャンネルについてのみ、選局を受け付ける選局受付手段と、
前記選局受付手段が受け付けたチャンネルのディジタル放送信号を受信する受信手段と、を備えた受信装置において、
チャンネル毎に番組の放送が行われているかどうかを検知する検知手段と、
前記チャンネルテーブルに登録されているチャンネルで、番組の放送が行われていないことが前記検知手段により検知されたとき、前記チャンネルテーブルに登録されている該当するチャンネルに対応付けられている放送停止を示すフラグをオンする放送停止設定手段と、
前記選局受付手段が、前記チャンネルテーブルに登録されており、且つ対応づけられている放送停止を示すフラグがオンされているチャンネルの選局を受け付けたとき、現在番組が放送されていないことを通知するＯＳＤ画像を出力するＯＳＤ画像出力手段と、を備えた受信装置。
【請求項５】
前記チャンネルテーブルに登録されており、且つ対応づけられている放送停止を示すフラグがオンされているチャンネルで、番組の放送が行われていることが前記検知手段により検知されたとき、前記チャンネルテーブルに登録されている該当するチャンネルに対応付けられている放送停止を示すフラグをオフする放送停止解除手段を備えた請求項３または４に記載の受信装置。
【請求項６】
前記検知手段は、予め定められたタイミングで、前記チャンネルテーブルに登録されているチャンネル毎に、番組の放送が行われているかどうかを検知する手段である請求項３〜５のいずれかに記載の受信装置。
【発明の詳細な説明】
【技術分野】
【０００１】
この発明は、選局されているチャンネルで放送されているディジタル放送の番組を受信する受信装置に関する。
【背景技術】
【０００２】
従来、ディジタル放送の番組を受信する受信装置が一般に普及している。ディジタル放送は、公知のように、複数の番組のデータを多重化したストリームを放送することにより、１つの物理チャンネルで複数の番組を放送することができる。ここで言う物理チャンネルとは、番組の放送に使用している搬送波の周波数帯域に対応するチャンネル番号である。上述したように、ディジタル放送では、１つの物理チャンネルで複数の番組を放送することがあるので、番組毎に放送されているチャンネルを決める必要がある。すなわち、１つの物理チャンネルに複数のチャンネルが必要になる。このため、物理チャンネルに対して１または複数の仮想チャンネルを割り当てている。また、仮想チャンネルは、サブチャンネルを割り当てることで、番組を放送する複数のチャンネルとして使用することもできる。例えば、２つの仮想チャンネル番号「１０」、「１１」が割り当てられている物理チャンネルであれば、２つの番組を放送する場合、一方の番組を放送しているチャンネル番号を「１０」、他方の番組を放送しているチャンネル番号を「１１」とすることで、番組毎に放送されているチャンネルを決めることができる。また、１つの仮想チャンネル番号「２０」が割り当てられている物理チャンネルであれば、２つの番組を放送する場合、サブチャンネル番号「１」、「２」を利用し、一方の番組を放送しているチャンネル番号を「２０−１」、他方の番組を放送しているチャンネル番号を「２０−２」とすることで、番組毎に放送されているチャンネルを決めることができる。ユーザは、仮想チャンネル、または仮想チャンネル＋サブチャンネルで、視聴する番組が放送されているチャンネルを選局する。
【０００３】
また、ディジタル放送の受信装置では、適当なタイミングで、受信可能な物理チャンネル毎に番組が放送されているチャンネルであるかどうかを検知し、番組が放送されている物理チャンネルについては、その物理チャンネルで放送されている番組毎に、番組の放送に使用されている仮想チャンネル、または仮想チャンネル＋サブチャンネルを全チャンネルテーブルに登録するチャンネルサーチが行われている。受信装置は、ユーザによるチャンネルのアップ／ダウン操作が行われたときに、全チャンネルテーブルの登録内容に基づいてチャンネル（仮想チャンネル、または仮想チャンネル＋サブチャンネル）を切り換えることで、番組が放送されていないチャンネルが選局されるのを防止している。
【０００４】
また、ディジタル放送では、特許文献１、２等に記載されているように、物理チャンネルで放送されている番組の数が動的に変化している。このため、全チャンネルテーブルについては、定期的に更新する必要がある。全チャンネルテーブルが更新されないと、チャンネルサーチ後に、番組の放送が停止されたチャンネル（すなわち番組が放送されていないチャンネル）を選択したり、チャンネルサーチ後に、番組の放送が開始されたチャンネルが選局できないという事態が生じる。このため、装置本体の電源オン時等にチャンネルサーチを行って、全チャンネルテーブルを更新することが行われている。
【０００５】
なお、特許文献１では、受信している番組を放送している物理チャンネルに対して、そのチャンネル構成を検出し、チャンネル構成に変化があった場合に、その旨を示すＯＳＤ画像を出力することが提案されている。チャンネル構成とは、その物理チャンネルにおいて、番組の放送に使用している仮想チャンネル、または仮想チャンネル＋サブチャンネルの構成である。また、特許文献２では、チャンネルサーチにより検出された番組が放送されているチャンネルと、前回のチャンネルサーチで検出された番組が放送されているチャンネルとの間に相違があれば、この相違をユーザに通知し、ユーザに全チャンネルテーブルの更新にかかる操作を行わせることで、一時的に放送が停止されているチャンネルがユーザの知らない間に全チャンネルテーブルから削除されるのを防止することが提案されている。
【０００６】
さらに、ディジタル放送では、上述したように、１つの物理チャンネルで複数の番組が放送できることから、放送されている番組の総数が多く、ユーザにおける視聴する番組の選局にかかる操作が煩雑であった。そこで、ユーザにおける視聴する番組の選局にかかる操作を簡単にする方法として、ユーザが自分の好みにあった番組が放送されているチャンネル（仮想チャンネル、または仮想チャンネル＋サブチャンネル）を登録するお気に入りチャンネルテーブルを設け、ユーザによるチャンネルのアップ／ダウン操作が行われたときに、お気に入りチャンネルテーブルの登録内容に基づいてチャンネルを切り換えることが考えられている。
【特許文献１】特開２００２−３５４３５３号公報
【特許文献２】特開２００４−１８６９７５号公報
【発明の開示】
【発明が解決しようとする課題】
【０００７】
しかしながら、お気に入りチャンネルテーブルに登録されているチャンネルで番組が放送されていないことが検知されたときに、このチャンネルをお気に入りテーブルから削除する方式であれば、ユーザがお気に入りチャンネルテーブルに登録したチャンネルが、ユーザの知らない間にお気に入りチャンネルテーブルから削除されることになる。その結果、ユーザがお気に入りチャンネルテーブルの登録内容を確認したときに、自分が登録したチャンネルがお気に入りチャンネルテーブルに登録されておらず、受信装置本体が故障しているのではないかと不安をいだき、混乱するという問題がある。また、お気に入りチャンネルテーブルから削除されたチャンネルでの番組の放送停止が一時的なものであった場合、ユーザは削除されたチャンネルを再度お気に入りチャンネルテーブルに登録する操作を行わなければならず、ユーザの負担を増加させ、操作性がよくないという問題がある。
【０００８】
一方、お気に入りチャンネルテーブルに登録されているチャンネルで番組が放送されていないことが検知されたときに、このチャンネルをお気に入りチャンネルテーブルから削除しない方式であれば、ユーザがこのチャンネルを選局したときに、映像や音声が出力されない。その結果、ユーザがお気に入りチャンネルテーブルに対するチャンネルの登録操作を誤ったのではないかと誤解し、混乱するという問題がある。
【０００９】
この発明の目的は、ユーザが自分の好みに応じて番組を放送しているチャンネルを登録するお気に入りチャンネルテーブルを利用して、ユーザのチャンネルの選局にかかる操作性を向上させるとともに、お気に入りチャンネルテーブルに登録されているチャンネルにおける番組の放送停止時に、ユーザを混乱させることがなく、ユーザの使い勝手を向上させた受信装置を提供することにある。
【課題を解決するための手段】
【００１０】
この発明の受信装置は、上記課題を解決するために以下の構成を備えている。
【００１１】
（１）登録が指定されたチャンネルをチャンネルテーブルに登録する登録手段と、
前記チャンネルテーブルに登録されているチャンネルについてのみ、選局を受け付ける選局受付手段と、
前記選局受付手段が受け付けたチャンネルのディジタル放送信号を受信する受信手段と、を備えた受信装置において、
チャンネル毎に番組の放送が行われているかどうかを検知する検知手段と、
前記チャンネルテーブルに登録されているチャンネルで、番組の放送が行われていないことが前記検知手段により検知されたとき、前記チャンネルテーブルに登録されている該当するチャンネルに対応付けられている放送停止を示すフラグをオンする放送停止設定手段と、
前記選局受付手段が、前記チャンネルテーブルに登録されており、且つ対応づけられている放送停止を示すフラグがオンされているチャンネルの選局を受け付けるのを禁止する選局受付禁止手段と、を備えている。
【００１２】
この構成では、登録手段が、ユーザにより登録が指定されたチャンネルをチャンネルテーブル（お気に入りチャンネルテーブル）に登録する。また、選局受付手段がチャンネルテーブルに登録されているチャンネルについてのみ選局を受け付け、受信手段が選局受付手段が受け付けたチャンネルのディジタル放送信号を受信する。したがって、ユーザはチャンネルテーブルに登録したチャンネルの中から、視聴する番組が放送されているチャンネルを選曲することができ、ユーザにおける選局操作が煩雑になるのを防止できる。
【００１３】
また、検知手段がチャンネルテーブルに登録されている、いずれかのチャンネルについて番組の放送が行われていないことを検知すると、放送停止設定手段が該当するチャンネルに対応付けられている放送停止を示すフラグをオンする。そして、選局受付禁止手段が放送停止を示すフラグがオンされているチャンネルについては、前記選局受付手段が選局を受け付けるのを禁止する。
【００１４】
このように、ユーザがチャンネルテーブルに登録したチャンネルで番組が放送されていないことが検知された場合、このチャンネルをチャンネルテーブルから削除するのではなく、このチャンネルに対応付けられている放送停止を示すフラグをオンし、選局を受け付けるのを禁止する構成としたので、チャンネルテーブルに登録されているチャンネルであっても、番組の放送が行われていないときに選局されることがないので、ユーザがチャンネルテーブルに対するチャンネルの登録操作を誤ったのではないかと誤解し、混乱するのを防止できる。また、対応付けられている放送停止を示すフラグがオンしているチャンネルについては、番組の放送が行われていることが検知されたときに、このフラグがオフされるので選局が可能になる。
【００１５】
（２）登録が指定されたチャンネルをチャンネルテーブルに登録する登録手段と、
前記チャンネルテーブルに登録されているチャンネルについてのみ、選局を受け付ける選局受付手段と、
前記選局受付手段が受け付けたチャンネルのディジタル放送信号を受信する受信手段と、を備えた受信装置において、
チャンネル毎に番組の放送が行われているかどうかを検知する検知手段と、
前記チャンネルテーブルに登録されているチャンネルで、番組の放送が行われていないことが前記検知手段により検知されたとき、前記チャンネルテーブルに登録されている該当するチャンネルに対応付けられている放送停止を示すフラグをオンする放送停止設定手段と、
前記選局受付手段が、前記チャンネルテーブルに登録されており、且つ対応づけられている放送停止を示すフラグがオンされているチャンネルの選局を受け付けたとき、現在番組が放送されていないことを通知するＯＳＤ画像を出力するＯＳＤ画像出力手段と、を備えたている。
【００１６】
この構成では、登録手段が、ユーザにより登録が指定されたチャンネルをチャンネルテーブル（お気に入りチャンネルテーブル）に登録する。また、選局受付手段がチャンネルテーブルに登録されているチャンネルについてのみ選局を受け付け、受信手段が選局受付手段が受け付けたチャンネルのディジタル放送信号を受信する。したがって、ユーザはチャンネルテーブルに登録したチャンネルの中から、視聴する番組が放送されているチャンネルを選曲することができ、ユーザにおける選局操作が煩雑になるのを防止できる。
【００１７】
また、検知手段がチャンネルテーブルに登録されている、いずれかのチャンネルについて番組の放送が行われていないことを検知すると、放送停止設定手段が該当するチャンネルに対応付けられている放送停止を示すフラグをオンする。そして、ＯＳＤ画像出力手段が放送停止を示すフラグがオンされているチャンネルについては、前記選局受付手段が選局を受け付けたときに、現在番組が放送されていないことを通知するＯＳＤ画像を出力する。
【００１８】
このように、ユーザがチャンネルテーブルに登録したチャンネルで番組が放送されていないことが検知された場合、このチャンネルをチャンネルテーブルから削除するのではなく、このチャンネルに対応付けられている放送停止を示すフラグをオンし、選局を受け付けたときに現在番組が放送されていないことを通知するＯＳＤ画像を出力する構成としたので、ユーザがチャンネルテーブルに対するチャンネルの登録操作を誤ったのではないかと誤解し、混乱するのを防止できる。また、対応付けられている放送停止を示すフラグがオンしているチャンネルについては、番組の放送が行われていることが検知されたときには、このフラグをオフすればよい。
【００１９】
（３）前記チャンネルテーブルに登録されており、且つ対応づけられている放送停止を示すフラグがオンされているチャンネルで、番組の放送が行われていることが前記検知手段により検知されたとき、前記チャンネルテーブルに登録されている該当するチャンネルに対応付けられている放送停止を示すフラグをオフする放送停止解除手段を備えている。
【００２０】
この構成では、対応付けられている放送停止を示すフラグがオンしているチャンネルについては、番組の放送が行われていることが検知されたとき、放送停止解除手段により自動的にフラグがオフされる。
【００２１】
（４）前記検知手段は、予め定められたタイミングで、前記チャンネルテーブルに登録されているチャンネル毎に、番組の放送が行われているかどうかを検知する手段である。
【００２２】
この構成では、例えば装置本体の電源オン時や、一定時間毎や、装置本体に対して特定の入力操作が行われたとき等、予め定められたタイミングで、チャンネルテーブルに登録されているチャンネルについてのみ、番組が放送されているかどうかが検知されるので、チャンネルテーブルに登録されている各チャンネルに対して、対応付けられている放送停止を示すフラグの状態を定期的に更新することができる。
【発明の効果】
【００２３】
この発明によれば、チャンネルの選局にかかる操作性の向上が図れるとともに、チャンネルテーブルに登録されているチャンネルにおける番組の放送停止時に、ユーザを混乱させることがない。
【００２４】
また、チャンネルテーブルに登録されているチャンネルについては、番組の放送が行われていないことが検知されたときに、このチャンネルをチャンネルテーブルから削除しないので、このチャンネルでの番組の放送が再開されたときに、チャンネルテーブルに再登録する必要がなく、ユーザの使い勝手を向上させることができる。
【発明を実施するための最良の形態】
【００２５】
以下、この発明の実施形態である受信装置について説明する。
【００２６】
図１は、この発明の実施形態である受信装置の主要部の構成を示すブロック図である。この実施形態の受信装置１は、装置本体の動作を制御する制御部２と、ディジタル放送信号を受信し、選局されているチャンネル（仮想チャンネル、または仮想チャンネル＋サブチャンネルにより選局されているチャンネル）に対応する物理チャンネルのストリームを抽出する受信部３と、受信部３で抽出されたストリームから選局されているチャンネルの映像データおよび音声データを取り出し、デコードするデコード部４と、ＯＳＤ画像を生成するＯＳＤ画像生成部５と、ＯＳＤ画像生成部５で生成されたＯＳＤ画像を重ね合わせた合成画像を生成する画像合成部６と、映像信号および音声信号を出力する出力部７と、装置本体に対する入力操作を受け付ける操作部８と、後述する全チャンネルテーブル９ａ、およびお気に入りチャンネルテーブル９ｂを記憶する記憶部９と、を備えている。
【００２７】
ここで、ディジタル放送のチャンネル番号について簡単に説明しておく。ディジタル放送のチャンネル番号には、物理チャンネル、仮想チャンネル、およびサブチャンネルの３つの要素がある。物理チャンネルは、番組の放送に使用している搬送波の周波数帯域に対応するチャンネルである。ディジタル放送では、１つの物理チャンネルで複数の番組を放送することができる。そこで、１つの物理チャンネルで複数の番組が放送されている場合に、個々の番組が選局できるように、仮想チャンネル、およびサブチャンネルを利用している。仮想チャンネルは、物理チャンネルに対応づけられたチャンネル番号であり、１つの物理チャンネルに対して１または複数の仮想チャンネルを割り当てることができる。また、サブチャンネルは、１つの仮想チャンネルを複数のチャンネルとして使用する場合に、補助的に用いるチャンネルである。例えば、仮想チャンネル「１０」である場合、サブチャンネル「１」、「２」を使用することで、「１０−１」、「１０−２」という２つのチャンネルとして使用できる。
【００２８】
なお、仮想チャンネルを１つの番組を放送するチャンネルとして使用する場合には、この仮想チャンネルに対してサブチャンネルを使用しないこともある。サブチャンネルが使用されていない仮想チャンネルについては、仮想チャンネルにより選局が行われる。
【００２９】
受信部３は、仮想チャンネル、または仮想チャンネル＋サブチャンネルにより選局されているチャンネルに対応する物理チャンネルを受信し、この物理チャンネルで放送されている番組のストリームを抽出する。受信部３が受信し、抽出するストリームには、選局されている物理チャンネル（仮想チャンネル、または仮想チャンネル＋サブチャンネルにより選局されているチャンネルに対応する物理チャンネル）で放送されている全ての番組の映像データおよび音声データが多重化されている。受信部３には、図示していないがディジタル放送を受信するアンテナが接続されている。デコード部４は、受信部３で抽出されたストリームから、仮想チャンネル、または仮想チャンネル＋サブチャンネルにより選局されているチャンネルの番組の映像データ、および音声データを取り出すとともに、ここで取り出した映像データ、および音声データをデコードする。ＯＳＤ画像生成部５は、必要に応じて、選局されているチャンネル番号や、メニュー画面等のＯＳＤ画像を生成する。画像合成部６は、ＯＳＤ画像生成部５で生成されたＯＳＤ画像を、デコード部４でデコードされた映像データの映像に重ね合わせた合成画像を生成する。画像合成部６は、ＯＳＤ画像生成部５で重ね合わせるＯＳＤ画像が生成されていないとき、デコード４から入力された映像データを出力する。画像合成部６から出力された映像データは、出力部７に入力される。また、デコード部４でデコードされた音声データは、出力部７へ出力される。出力部７は、画像合成部６から入力された映像データに基づく映像信号を生成し、これを表示装置１１に入力する。表示装置１１では、出力部７から入力された映像信号に基づく映像、すなわち選局されているチャンネルで放送されている番組の映像、が表示される。また、出力部７はデコード部４から入力された音声データに基づく音声信号をスピーカ１２に入力する。スピーカ１２では、出力部７から入力された映音声号に基づく音声、すなわち選局されているチャンネルで放送されている番組の音声、が出力される。
【００３０】
なお、出力部７は、表示装置１１に入力する映像信号と、スピーカ１２に入力する音声信号の同期をとっている。
【００３１】
操作部８は、装置本体に対して入力操作を行う複数の操作キーや、図示していないリモコン装置から送信されてきた装置本体に対する制御コマンドを受信する受信部を有している。受信装置１は、操作キーが操作されたとき、またはリモコン装置から送信されてきた装置本体に対する制御コマンドを受信したときに、装置本体に対する入力があったと判定する。受信装置１の制御部２は、操作部８が受け付けた装置本体に対する入力に応じて、装置本体の動作を制御する。
【００３２】
記憶部９は、全チャンネルテーブル９ａおよびお気に入りチャンネルテーブル９ｂを記憶する。お気に入りチャンネルテーブル９ｂが、この発明で言うチャンネルテーブルに相当する。記憶部９は、不揮発性のメモリで構成されている。図２は、全チャンネルテーブルを示す図である。この全チャンネルテーブル９ａは、図２に示すように、登録されている物理チャンネル毎に仮想チャンネル、およびサブチャンネルを対応付けたテーブルである。全チャンネルテーブル９ａは、番組を放送している全ての物理チャンネルを登録するためのテーブルである。但し、番組を放送している物理チャンネルの変化をリアルタイムに検出することが困難であることから、全チャンネルテーブル９ａの登録内容と、その時点で番組を放送している各物理チャンネルの構成と、が一時的に一致していない状態になることもある。受信装置１は、全チャンネルテーブル９ａにおける登録内容と異なるチャンネル構成の物理チャンネルを検出したとき、全チャンネルテーブル９ａにおけるこの物理チャンネルの登録内容を更新する。
【００３３】
受信装置１は、所定のタイミング、例えば装置本体の電源オフ時に、番組を放送している物理チャンネル毎にチャンネル構成（仮想チャンネル、およびサブチャンネル）を検出し、全チャンネルテーブル９ａの登録内容を更新する処理や、受信する物理チャンネルを切り換えたときに、この切り換えた物理チャンネルについてチャンネル構成を検出し、全チャンネルテーブル９ａの該当するチャンネルの登録内容を更新する処理を行う。
【００３４】
図３は、お気に入りチャンネルテーブルを示す図である。このお気に入りチャンネルテーブル９ｂは、チャンネルを選局する単位で登録するテーブルである。図３に示すように物理チャンネルに対して、１つの仮想チャンネル、および１つのサブチャンネルを対応づけている。選局は、仮想チャンネルおよびサブチャンネルで行われる。また、サブチャンネルが与えられていない仮想チャンネルについては、サブチャンネルが付与されていないものもある。ユーザは、装置本体に対して所定の入力操作を行うことで、お気に入りチャンネルテーブル９ｂに対するチャンネルの新規登録や削除が行える。さらに、お気に入りチャンネルテーブル９ｂは、登録されているチャンネル毎に、そのチャンネルで番組が放送されているかどうかを示す放送停止フラグを対応付けて記憶している。放送停止フラグがオンされているチャンネルは番組が放送されていないチャンネルであり、放送停止フラグがオフされているチャンネルは番組が放送されているチャンネルである。
【００３５】
以下、この発明の実施形態である受信装置１の動作について説明する。図４は、この発明の実施形態である受信装置の動作を示すフローチャートである。受信装置１は、装置本体の電源がオンされると、図４に示す処理を開始し、装置本体の電源がオフされるとこの処理を終了する。受信装置１は、装置本体の電源がオンされると、まずお気に入りチャンネルテーブル９ｂに登録されているチャンネル毎に番組の放送が行われているかどうかを検知する（ｓ１）。ｓ１では、お気に入りチャンネルテーブル９ｂに登録されているチャンネル毎に、受信部３で対応する物理チャンネルを受信し、この物理チャンネルの受信信号を処理することで、このチャンネルで番組が放送されているかどうかを検知する。受信装置１は、ｓ１で番組の放送が行われていることが検知されたチャンネルについては対応付けられている放送停止フラグをオフし、番組の放送が行われていないことが検知されたチャンネルについては対応付けられている放送停止フラグをオンする、お気に入りチャンネルテーブル９ｂの更新処理を行う（ｓ２）。
【００３６】
このように、受信装置１は、本体の電源がオンされたときに、お気に入りチャンネルテーブル９ｂに登録されているチャンネル毎に、その時点で番組の放送が行われているかどうかを検知し、その結果をお気に入りチャンネルテーブル９ｂに登録する処理を行っている。
【００３７】
受信装置１は、ｓ２にかかる処理が完了すると、選局されているチャンネル（電源オン時は、前回の電源オフ時に選局されていたチャンネル）で放送されている番組の受信を開始する（ｓ３）。ここで言う選局されているチャンネルとは、仮想チャンネル、または仮想チャンネル＋サブチャンネルにより選局されているチャンネルである。ｓ３では、受信部３が、選局されているチャンネルに対応する物理チャンネルのディジタル放送信号の受信を開始する。受信部３は、受信している物理チャンネルのストリームを出力する。デコード部４が、受信部３から出力されたストリームから、選局されているチャンネルで放送されている番組の映像データ、および音声データを抽出し、デコードする処理を開始する。画像合成部６は、ＯＳＤ画像生成部５で生成されたＯＳＤ画像を、デコード部４でデコードされた映像データの映像に重ね合わせた合成画像の映像データを生成する処理を開始する。画像合成部６は、ＯＳＤ画像生成部５でＯＳＤ画像が生成されていない場合、デコード部４でデコードされた映像データを出力する。出力部７は、画像合成部６から出力され映像データに基づく映像信号を出力するとともに、デコード部４でデコードされた音声データに基づく音声信号を出力する処理を開始する。これにより、表示装置１１において選局されているチャンネルで放送されている番組の映像が表示され、スピーカ１２からこの番組の音声が出力される。
【００３８】
なお、選局されているチャンネルで番組が放送されていない場合、表示装置１２に番組の放送が行われていないことを通知するＯＳＤ画像を表示するようにしてもよいし、番組が放送されている適当なチャンネルを自動的に選局して、ｓ３にかかる処理を行うようにしてもよい。
【００３９】
受信装置１は、ｓ３で選局されているチャンネルの受信を開始すると、装置本体に対する入力があるか（ｓ４）、前回のお気に入りチャンネルテーブル９ｂの更新から一定時間、例えば１時間、経過したかどうか（ｓ５）、を判定する。受信装置１は、ｓ５で一定時間経過したと判定すると、ｓ１に戻り、上記処理を繰り返す。受信装置１は、お気に入りチャンネルテーブル９ｂを最後に更新した時刻を制御部２に設けられているメモリ（不図示）に記憶しているとともに、現在時刻を計時するタイマ（不図示）を備えている。受信装置１は、このタイマが計時している時刻と、記憶しているお気に入りチャンネルテーブル９ｂを最後に更新した時刻との差が一定時間を超えているときに、前回のお気に入りチャンネルテーブル９ｂの更新から一定時間経過したと判定する。
【００４０】
このように、受信装置２は、お気に入りチャンネル９ｂに登録されている各チャンネルに対して、定期的に、番組の放送が行われているかどうかを検知し、放送停止フラグの状態を更新している。
【００４１】
また、ここでは、ｓ５で一定時間経過したかどうかを判定するとしたが、一般に正時等のきりのよい時間に番組の放送が開始されることから、ｓ５の判定を正時になったかどうかを判定する処理に置き換えてもよい。さらに、ｓ１、ｓ２にかかる処理を行うと、一時的に、その時点で選局されているチャンネルの受信を停止させることになるので、例えばお気に入りチャンネルテーブル９ｂに登録されているチャンネルを、２つのグループに分割し、一方のグループのチャンネルに対する上記ｓ１、ｓ２にかかる処理と、他方のグループのチャンネルに対する上記ｓ１、ｓ２にかかる処理と、を交互に行うようにしてもよい。このようにすれば、選局されているチャンネルの受信が停止する時間（連続して停止する時間）を抑えることができ、その時点で選局されているチャンネルで放送されている番組を視聴しているユーザに与える違和感を抑えることができる。
【００４２】
ユーザは、操作部８に設けられている操作キー、または図示していないリモコン装置を操作して、受信装置１に対して所望の入力操作を行う。受信装置１は、装置本体に対する入力があると、今回の入力がお気に入りチャンネルテーブル９ｂを利用したチャンネル切換の要求であるか、お気に入りチャンネルテーブル９ｂへのチャンネルの登録／削除処理の要求であるかを判定する（ｓ６、ｓ７）。受信装置１は、ｓ６でお気に入りチャンネルテーブル９ｂを利用したチャンネル切換の要求であると判定すると、図５に示すお気に入りチャンネルテーブル９ｂを利用したチャンネル切換処理を行う（ｓ８）。
【００４３】
受信装置１における、お気に入りチャンネルテーブル９ｂを利用したチャンネル切換処理について説明する。受信装置１は、ＯＳＤ画像生成部５でお気に入りチャンネルテーブル９ｂに登録されているチャンネルの中から、切り換えるチャンネルを選局する操作を援助するＯＳＤ画像を生成する（ｓ２１）。ｓ２１では、ＯＳＤ画像生成部５が、お気に入りチャンネルテーブル９ｂにおいて放送停止フラグがオンされているチャンネルと、放送停止フラグがオフされているチャンネルと、を区別したＯＳＤ画像を作成する。受信装置１は、ＯＳＤ画像生成部５がｓ２１で生成したＯＳＤ画像を、現在選局されているチャンネル（切り換えられる前のチャンネル）で放送されている番組の映像に重ね合わせた合成画像の映像信号を出力部７から出力する。この映像信号が入力されている表示装置１１では、例えば図６に示す映像が表示される。図６では、現在選局されているチャンネルで放送されている番組の映像を図示していない。図６において、画面上方に独立的に表示されているチャンネルが、現在選局されているチャンネルである。また、この現在選局されているチャンネルの下側に区切って表示されている複数のチャンネルが、お気に入りチャンネルテーブル９ｂに登録されているチャンネルであり、ハッチングを施しているチャンネルが放送停止フラグがオンしているチャンネルである。さらに、枠が付いているチャンネルがこの時点で切り換える候補として選択されているチャンネル（以下、候補チャンネルと言う。）である。
【００４４】
したがって、ユーザは、お気に入りチャンネルテーブル９ｂを利用したチャンネル切換要求にかかる入力操作を行うことで、その時点でお気に入りチャンネルテーブル９ｂに登録されているチャンネル、およびこれらのチャンネル毎に現在番組が放送されているかどうかを確認することができる。
【００４５】
受信装置１は、候補チャンネルの変更、または選択決定の入力を待つ（ｓ２２、ｓ２３）。ユーザは、操作部８、またはリモコン装置のカーソルキーを操作して、候補チャンネルの変更にかかる入力を行う。受信装置１は、候補チャンネルの変更にかかる入力があると、変更された候補チャンネルを判定する（ｓ２４）。ｓ２４では、具体的には、ユーザが操作したキーが右カーソルキーであれば、ｓ２１で生成したＯＳＤ画像において、現在選択されている候補チャンネルの右隣に表示されているチャンネルを候補チャンネルに仮決定する。受信装置１は、ここで仮決定した候補チャンネルに対応付けられている放送停止フラグがオンであれば、この仮決定したチャンネルのさらに右隣に表示されているチャンネルを変更する候補チャンネルに更新する。受信装置１は、対応付けられている放送停止フラグがオフであるチャンネルが候補チャンネルに仮決定されるまで、これらの処理を繰り返す。受信装置１は、仮決定した候補チャンネルに対応付けられている放送停止フラグがオフであれば、ここで仮決定した候補チャンネルに応じて枠の位置を変化させたＯＳＤ画像をＯＳＤ画像生成部５で生成する。
【００４６】
なお、右端のチャンネルの次に更新される候補チャンネルは、ＯＳＤ画像において、１つ下の欄で左端に表示されているチャンネルである。また、右端で且つ最下欄のチャンネルの次に更新される候補チャンネルは、ＯＳＤ画像において、最上欄で左端に表示されているチャンネルである。また、左カーソルキー、上カーソルキー、下カーソルキーが操作されたときには、その時点での候補チャンネルに対して、更新する候補チャンネルの移動方向（ＯＳＤ画像における移動方向）が異なるだけであり、ここでは説明を省略する。
【００４７】
また、受信装置１は、ｓ２３で選択決定の入力があったと判定すると、その時点で仮決定されている候補チャンネルを、選局するチャンネルに決定し（ｓ２５）、本処理を終了する。受信装置１は、図５に示すお気に入りチャンネルテーブル９ｂを利用したチャンネル切換処理を完了すると、ｓ３に戻って上記処理を繰り返す。
【００４８】
このように、この実施形態の受信装置１では、お気に入りチャンネルテーブル９ｂを利用したチャンネルの切換では、ｓ２４で、対応付けられている放送停止フラグがオンしているチャンネル、すなわち番組の放送が行われていないチャンネル、を候補チャンネルに仮決定することがない。したがって、お気に入りチャンネルテーブル９ｂに登録されているチャンネルであっても、番組の放送が行われていないチャンネルについては、選局することができない。これにより、ユーザにより、番組が放送されていないチャンネルが選曲されることがない。
【００４９】
受信装置１は、ｓ７でお気に入りチャンネルテーブル９ｂに対するチャンネルの登録／削除の要求であると判定すると、図７に示す登録／削除処理を実行する（ｓ９）。受信装置１は、ＯＳＤ画像生成部５で、お気に入りチャンネルテーブル９ｂに対するチャンネルの登録／削除を援助するＯＳＤ画像を生成する（ｓ３１）。ｓ３１で生成されるＯＳＤ画像は、図６に示したＯＳＤ画像と略同じ画像である。ｓ３１では、ｓ２１と同様に、この時点で放送停止フラグがオンされているチャンネルと、放送停止フラグがオフされているチャンネルと、を区別したＯＳＤ画像を作成する。受信装置１は、ＯＳＤ画像生成部５がｓ３１で生成したＯＳＤ画像を、現在選局されているチャンネルで放送されている番組の映像に重ね合わせた画像の映像信号を出力部７から出力する。表示装置１２では、例えば図８に示す映像が表示される。図８では、現在選局されているチャンネルで放送されている番組の映像を図示していない。また、図８においてハッチングで示すチャンネルが現在放送停止フラグがオンされているチャンネルである。したがって、ユーザはこの画像を見ることで、お気に入りチャンネルテーブル９ｂに登録されているチャンネル毎に、現在番組が放送されているかどうかを確認することができる。
【００５０】
受信装置１は、ここで登録、削除、変更にかかる入力を待つ（ｓ３２〜ｓ３４）。受信装置１は、本体に対する入力が登録であれば、この時点で選局されているチャンネルが、お気に入りテーブル９ｂにすでに登録されているかどうかを判定し（ｓ３５）、未登録であれば、現在選択されているチャンネルをお気に入りチャンネルテーブル９ｂに新規に登録する（ｓ３６）。また、受信装置１は、本体に対する入力が削除であれば、削除するチャンネルの指定を受け付け（ｓ３７）、ここで指定されたチャンネルをお気に入りチャンネルテーブル９ｂから削除する（ｓ３８）。ユーザは、上述したお気に入りチャンネルテーブル９ｂを利用したチャンネル切換処理におけるチャンネルの登録と同様に、カーソルキーを操作して、削除するチャンネルを選択する。但し、受信装置１は、放送停止フラグの状態に関係なく、削除するチャンネルの選択を受け付ける。すなわち、放送停止フラグがオンしているか、またはオフしているかにかかわらず、お気に入りチャンネルテーブル９ｂから削除するチャンネルとして選択することができる。
【００５１】
さらに、受信装置１は、本体に対する入力が変更であると、変更するチャンネル（お気に入りテーブル９ｂに登録されているチャンネル）の指定を受け付け（ｓ３９）、ここで指定されたチャンネルを、この時点で選局されているチャンネルに更新する（ｓ４０）。この場合も、ユーザは、上述したお気に入りチャンネルテーブル９ｂを利用したチャンネル切換処理におけるチャンネルの登録と同様に、カーソルキーを操作して、変更するチャンネルを選択する。
【００５２】
このように、この実施形態の受信装置１は、図７に示す登録／削除処理を行うことで、任意のチャンネルをお気に入りチャンネルテーブル９ｂに登録することができる。
【００５３】
また、受信装置１は、装置本体に対する入力が、上述した、お気に入りチャンネルテーブル９ｂを利用したチャンネルの切り換え処理、または登録／削除処理以外の処理であると判定すると、その入力に対する処理（その他の処理）を実行する（ｓ１０）。ｓ１０では、例えば全チャンネルテーブル９ａを利用したチャンネルの切り換え処理や、受信可能な物理チャンネル毎に番組が放送されているチャンネルを検出する全チャネルサーチ等の処理が行われる。全チャンネルテーブル９ａを利用したチャンネルの切り換えでは、お気に入りチャンネルテーブル９ｂに登録されていないチャンネルの選局が行える。また、全チャネルサーチでは、全チャンネルテーブル９ａの更新が行われる。
【００５４】
このように、この実施形態の受信装置１は、お気に入りチャンネルテーブル９ｂに登録されているチャンネルで番組が放送されていないことが検知されたときに、このチャンネルをお気に入りチャンネルテーブル９ｂから削除しないだけでなく、このチャンネルが選局されるのを禁止したので、ユーザがお気に入りチャンネルテーブル９ｂに対するチャンネルの登録操作を誤ったのではないかと誤解し、混乱するのを防止できる。
【００５５】
また、上記実施形態では、お気に入りチャンネルテーブル９ｂを利用したチャンネル切り換え処理において、番組が放送されていないチャンネルが選局されるのを禁止するとしたが、番組が放送されていないチャンネルが選局されたときに、その面をＯＳＤ画像で表示するようにしてもよい。具体的には、図５に示した処理を、図９に示す処理に置き換えてもよい。
【００５６】
なお、構成およびその他の処理については、上述した実施形態の受信装置１と同じである。
【００５７】
この別の実施形態にかかる受信装置１における、お気に入りチャンネルテーブル９ｂを利用したチャンネル切換処理について説明する。受信装置１は、上述した実施形態の受信装置１と同様に、ｓ２１で切り換えるチャンネルを選局する操作を援助するＯＳＤ画像を生成する。ｓ２１では、上述したように、ＯＳＤ画像生成部５が、お気に入りチャンネルテーブル９ｂにおいて放送停止フラグがオンされているチャンネルと、放送停止フラグがオフされているチャンネルと、を区別したＯＳＤ画像を作成する。受信装置１は、ＯＳＤ画像生成部５がｓ２１で生成したＯＳＤ画像を、現在選局されているチャンネル（切り換えられる前のチャンネル）で放送されている番組の映像に重ね合わせた合成画像の映像信号を出力部７から出力する。この映像信号が入力されている表示装置１１では、図６に示す映像が表示される。
【００５８】
したがって、この実施形態の受信装置１においても、ユーザは、お気に入りチャンネルテーブル９ｂを利用したチャンネル切換要求にかかる入力操作を行うことで、その時点でお気に入りチャンネルテーブル９ｂに登録されているチャンネル、およびこれらのチャンネル毎に現在番組が放送されているかどうかを確認することができる。
【００５９】
受信装置１は、候補チャンネルの変更、または選択決定の入力を待つ（ｓ２２、ｓ２３）。ユーザは、操作部８、またはリモコン装置のカーソルキーを操作して、候補チャンネルの変更にかかる入力を行う。受信装置１は、候補チャンネルの変更にかかる入力があると、変更された候補チャンネルを判定する（ｓ２４）。ｓ２４では、具体的には、ユーザが操作したキーが右カーソルキーであれば、ｓ２１で生成したＯＳＤ画像において、現在選択されている候補チャンネルの右隣に表示されているチャンネルを候補チャンネルに決定する。受信装置１は、決定した候補チャンネルに対応付けられている放送停止フラグがオンであるか、オフであるかを判定する（ｓ４１）。受信装置１は、ｓ４１でオフであると判定すると、ＯＳＤ画像生成部５において、ここで決定した候補チャンネルに応じて枠の位置を変化させたＯＳＤ画像（図１０（Ａ）参照）をＯＳＤ画像生成部５で生成する（ｓ４２）。一方、ｓ４１でオンであると判定すると、ここで決定した候補チャンネルに応じて枠の位置を変化させ、またこの候補チャンネルが現在番組の放送が行われていないことを通知するメッセージを表示させるＯＳＤ画像（図１０（Ｂ）参照）をＯＳＤ画像生成部５で生成する（ｓ４３）。受信装置１は、ｓ４２、またはｓ４３にかかる処理を完了すると、ｓ２１に戻る。。
【００６０】
なお、右端のチャンネルの次に更新される候補チャンネルは、ＯＳＤ画像において、１つ下の欄で左端に表示されているチャンネルである。また、右端で且つ最下欄のチャンネルの次に更新される候補チャンネルは、ＯＳＤ画像において、最上欄で左端に表示されているチャンネルである。また、左カーソルキー、上カーソルキー、下カーソルキーが操作されたときには、その時点での候補チャンネルに対して、更新する候補チャンネルの移動方向（ＯＳＤ画像における移動方向）が異なるだけであり、ここでは説明を省略する。
【００６１】
また、受信装置１は、ｓ２３で選択決定の入力があったと判定すると、その時点で仮決定されている候補チャンネルを、選局するチャンネルに決定し（ｓ２５）、本処理を終了する。受信装置１は、図５に示すお気に入りチャンネルテーブル９ｂを利用したチャンネル切換処理を完了すると、ｓ３に戻って上記処理を繰り返す。
【００６２】
このように、この実施形態の受信装置１では、お気に入りチャンネルテーブル９ｂを利用したチャンネルの切換では、ｓ２４で、対応付けられている放送停止フラグがオンしているチャンネル、すなわち番組の放送が行われていないチャンネル、が候補チャンネルに仮決定されると、番組の放送が行われていないことを通知するメッセージをＯＳＤ画像で表示する。したがって、お気に入りチャンネルテーブル９ｂに登録されているチャンネルであっても、番組の放送が行われていないチャンネルをユーザが誤って選局したときに、そのことをユーザに確実に通知することができ、上述の実施形態と同様の効果を奏する。
【図面の簡単な説明】
【００６３】
【図１】この発明の実施形態である受信装置の主要部の構成を示すブロック図である。
【図２】この発明の実施形態である受信装置の全チャンネルテーブルを示す図である。
【図３】この発明の実施形態である受信装置のお気に入りチャンネルテーブルを示す図である。
【図４】この発明の実施形態である受信装置の動作を示すフローチャートである。
【図５】この発明の実施形態である受信装置におけるチャンネル切換処理を示すフローチャートである。
【図６】この発明の実施形態である受信装置におけるチャンネル切換処理時に生成されるＯＳＤ画像を示す図である。
【図７】この発明の実施形態である受信装置における登録／削除処理を示すフローチャートである。
【図８】この発明の実施形態である受信装置における登録／削除処理時に生成されるＯＳＤ画像を示す図である。
【図９】この発明の別の実施形態である受信装置におけるチャンネル切換処理を示すフローチャートである。
【図１０】この発明の実施形態である受信装置におけるチャンネル切換処理時に生成されるＯＳＤ画像を示す図である。
【符号の説明】
【００６４】
１−受信装置
２−制御部
３−受信部
４−デコード部
５−ＯＳＤ画像生成部
６−画像合成部
７出力部
８−操作部
９−記憶部
９ａ−全チャンネルテーブル
９ｂ−お気に入りチャンネルテーブル
【図１】
2006352777.tif 000003
【図２】
2006352777.tif 000004
【図３】
2006352777.tif 000005
【図４】
2006352777.tif 000006
【図５】
2006352777.tif 000007
【図６】
2006352777.tif 000008
【図７】
2006352777.tif 000009
【図８】
2006352777.tif 000010
【図９】
2006352777.tif 000011
【図１０】
2006352777.tif 000012